(57)【要約】【課題】  複数の監視カメラを設置しても、汎用通信ネットワークとの接続は１回線で済む監視カメラシステムを提供する。【解決手段】  複数の監視カメラ１と、汎用通信ネットワークＮを介して監視カメラ１の撮像映像を保存するサーバ３とを有し、監視カメラ１は汎用通信ネットワークＮに接続されてサーバ３と通信を実施する共通の映像送信装置２を介して映像を送信し、映像送信装置２は監視カメラ１との接続部を介して各監視カメラ１に電源を供給するＰｏＥ処理部２２を有する。【選択図】  図２
2016208475.tif 000002
【特許請求の範囲】
【請求項１】
複数の監視カメラと、汎用通信ネットワークを介して前記監視カメラの撮像映像を保存する映像保存手段とを有する監視カメラシステムであって、
前記複数の監視カメラは、前記汎用通信ネットワークを介して前記映像保存手段と通信を実施する共通の映像送信装置にＬＡＮケーブルを介して接続され、
前記映像送信装置は、前記ＬＡＮケーブルを介して各前記監視カメラに電源を供給する電源供給手段を有することを特徴とする監視カメラシステム。
【発明の詳細な説明】
【技術分野】
【０００１】
本発明は、防犯の為にオフィスビルや工事現場等に設置される監視カメラとその撮像映像を保存する映像保存手段とを備えた監視カメラシステムに関する。
【背景技術】
【０００２】
防犯のために不審者や不法侵入者を撮像する監視カメラを設置し、その撮像映像を通信ネットワークを介して送信してサーバ等の映像保存手段に保存する監視カメラシステムが普及している。
このようなシステムでは、監視カメラはＨＵＢ等を介してインターネット等の汎用通信ネットワークに接続され、遠隔地に配置されたサーバ等の映像保存手段に映像データを送信して録画させている（例えば、特許文献１参照）。
【先行技術文献】
【特許文献】
【０００３】
【特許文献１】特開２０１３−１８７７２５号公報
【発明の概要】
【発明が解決しようとする課題】
【０００４】
上記したように、監視カメラの撮像映像を汎用通信ネットワークを介して配置された映像保存手段に録画する場合、監視カメラをＬＡＮに接続し、ＨＵＢやルータを介して汎用通信ネットワークに接続しなければならなかった。特に土木工事現場や建設現場のような日々環境が変化する場所では、不審者は比較的侵入し易いにも関わらず、監視カメラの設置はその電源の確保や通信線の配線等が厄介であり簡単ではなかった。
【０００５】
そこで、面倒な設置作業を改善するために、監視カメラを無線化することが考えられる。無線化すれば、汎用通信ネットワークとの接続においてＨＵＢやルータを介する必要がないため作業の簡略化がきる。しかしながら、無線機能を加えることで監視カメラが大型なものとなり、その取り付け自体が簡単ではなくなるし、設置場所も制限される。
【０００６】
本発明はこのような問題点に鑑み、複数の監視カメラを設置しても汎用通信ネットワークとの接続が容易な監視カメラシステムを提供することを目的としている。
【課題を解決するための手段】
【０００７】
上記課題を解決する為に、請求項１の発明は、複数の監視カメラと、汎用通信ネットワークを介して監視カメラの撮像映像を保存する映像保存手段とを有する監視カメラシステムであって、複数の監視カメラは、汎用通信ネットワークを介して映像保存手段と通信を実施する共通の映像送信装置にＬＡＮケーブルを介して接続され、映像送信装置は、ＬＡＮケーブルを介して各監視カメラに電源を供給する電源供給手段を有することを特徴とする。
【発明の効果】
【０００８】
本発明によれば、複数の監視カメラを設置しても、汎用通信ネットワークとの接続は映像送信装置１台で済むため、監視カメラ毎に汎用通信ネットワークに接続する必要がない。よって、ハブやルータを配設する必要が無く簡易な作業で設置できる。そして、映像送信装置にＬＡＮ接続すれば、電源が映像送信装置から供給されるため、電源配線も必要ない。更に、使用する回線数は監視カメラの台数分必要無く１回線で済み通信費用を削減できる。
【図面の簡単な説明】
【０００９】
【図１】本発明に係る監視カメラシステムの一例を示す構成図である。
【図２】監視カメラと映像送信装置の回路ブロック図である。
【発明を実施するための形態】
【００１０】
以下、本発明を具体化した実施の形態を、図面を参照して詳細に説明する。図１は本発明に係る監視カメラシステムの一例を示す構成図であり、１は監視カメラ、２は映像送信装置、３は映像保存手段としてのサーバを示し、監視カメラ１と映像送信装置２とはＬＡＮケーブルＬ１を介して接続され、映像送信装置２とサーバ３とはインターネット等の汎用通信ネットワークＮを介して接続されている。
尚、映像保存手段３はサーバでなくとも良く、ＮＶＲ等の監視カメラ専用の録画装置であっても良い。
【００１１】
図２は監視カメラ１と映像送信装置２の回路ブロック図を示している。図２に示すように監視カメラ１は、撮像素子を備えたカメラ１１、映像信号を処理する映像信号処理部１２、監視カメラ１の各部を制御する監視カメラＣＰＵ１３、監視カメラ１の駆動電源を生成する給電部１４、給電部１４に電力を供給するＰｏＥ受電部１５、映像送信装置２と通信する監視カメラＩＦ１６等を備えている。尚、ＰｏＥはPower over Ethernet（登録商標）の略であり、映像送信装置２からＬＡＮケーブルＬ１を介して給電部１４に電力が供給される。
【００１２】
映像送信装置２は、監視カメラを接続するための４つのＬＡＮ端子２１（２１ａ〜２１ｄ）を有し、それぞれにＰｏＥ処理部（第１ＰｏＥ２２ａ〜第４ＰｏＥ２２ｄ）２２が設けられている。ＰｏＥ処理部２２は、イーサネット（登録商標）の信号に電源電圧を重畳する制御を行う。
また、ＬＡＮ端子２１に接続された複数の監視カメラ１の映像信号を順次サーバ３へ送信するための映像信号処理部２３、映像送信装置全体を制御する映像送信部ＣＰＵ２４、汎用通信ネットワークＮに接続するためのネットワーク接続ＩＦ２５、商用電源に接続される電源部２６等を備えている。
【００１３】
このように構成された監視カメラシステムの動作は以下の様である。映像送信装置２が商用電源に接続されたら、映像送信装置２に電源が供給されて起動すると共に、各ＰｏＥ処理部２２ａ〜２２ｄに所定の電圧が供給され、ＬＡＮケーブルＬ１を介して接続された全ての監視カメラ１に電圧が供給される。
監視カメラ１のＰｏＥ受電部１５は、ＬＡＮケーブルＬ１を介して受信した電力を給電部１４に供給し、監視カメラ１の各回路に供給される。この結果、監視カメラ１が起動して撮像を開始し、映像信号の送信が開始される。
【００１４】
監視カメラ１から映像信号を受信した映像送信装置２は、映像送信部ＣＰＵ２４の制御で予め指定されたサーバ３に対して映像信号を汎用通信ネットワークＮを介して送信する。サーバ３に送信された映像は、所定の記録エリアに保存され、パーソナルコンピュータや携帯端末等からパスワード等の入力操作でアクセスでき、保存された映像は閲覧される。
【００１５】
この構成によれば、複数の監視カメラ１を設置しても、汎用通信ネットワークＮとの接続は映像送信装置２の１台で済むため、監視カメラ１毎に汎用通信ネットワークＮに接続する必要がない。よって、ハブやルータを配設する必要が無く簡易な作業で設置できる。そして、映像送信装置２にＬＡＮ接続すれば、電源が映像送信装置２から監視カメラ１に供給されるため、電源配線も必要ない。更に、使用する回線数は監視カメラ１の台数分必要無く１回線で済み通信費用を削減できる。
【００１６】
尚、上記実施形態では、映像送信装置がＬＡＮ端子２１を４つ備えて、４台の監視カメラ１を接続可能としているが、ＬＡＮ端子２１の数は任意である。また、映像送信装置２に無線通信機能を設けて、汎用通信ネットワークＮの中の携帯電話網を使用してサーバ３に映像を送信しても良い。
【符号の説明】
【００１７】
１・・監視カメラ、２・・映像送信装置、３・・サーバ（映像保存手段）、１１・・カメラ、１３・・監視カメラＣＰＵ、１５・・ＰｏＥ受電部、２１・・ＬＡＮ端子、２２・・ＰｏＥ処理部（電源供給手段）、２４・・映像送信部ＣＰＵ、２６・・電源部、Ｎ・・汎用通信ネットワーク。
【図１】
2016208475.tif 000003
【図２】
2016208475.tif 000004